(57)【要約】【課題】  期日の調査が便利になり、携帯が便利になる名刺ケースの構造を提供する。【解決手段】  名刺を収容するためのケース体２と、ケース体２に枢着される蓋体３とを含む名刺ケースの構造であって、前記ケース体２の底面２１には、一つの万年暦表２２が印刷され、フレーム板４を摺動するための二つの摺動用溝２３が平行に設けられ、前記フレーム板４は二つの縦方向板と、二つの横方向板とから構成され、前記横方向板には摺動機構が設けられ、前記摺動機構には二つの側板と一つの連接段とから構成され前記摺動用溝２３で摺動可能な溝が設けられ、前記溝の他面にはフレーム板４が移動した場合に万年暦表２２にある文字の磨耗を防止するための段差段が設けられていることを特徴とする名刺ケースの構造。【選択図】  図１
0003109431.tif 000002
【実用新案登録請求の範囲】
【請求項１】
名刺を収容するためのケース体と、ケース体に枢着される蓋体とを備える名刺ケースの構造であって、
前記ケース体の底面には一つの万年暦表が印刷され、フレーム板を摺動するための二つの摺動用溝が平行に設けられ、前記フレーム板は二つの縦方向板と、二つの横方向板とから構成され、前記横方向板には摺動機構が設けられ、前記摺動機構には二つの側板と一つの連接段とから構成され前記摺動用溝で摺動可能な溝が設けられ、前記溝の他面にはフレーム板が移動した場合に万年暦表にある文字の磨耗を防止するための段差段が設けられていることを特徴とする名刺ケースの構造。
【請求項２】
前記ケース体の万年暦表は平行する二つの摺動用溝の間に印刷されていることを特徴とする請求項１に記載の名刺ケースの構造。
【請求項３】
前記フレーム板の中央には、年月日を表示するための窓区が一つ形成されていることを特徴とする請求項１に記載の名刺ケースの構造。
【考案の詳細な説明】
【技術分野】
【０００１】
本考案は名刺ケースの構造に係り、特に期日の調査が便利になり、携帯が便利になる名刺ケースの構造に関するものである。
【背景技術】
【０００２】
図７と図８に示すのは、従来の名刺ケースの構造であり、この従来の名刺ケースの構造は、名刺を嵌めるための名刺台座７を含み、前記名刺台座７の一側面には万年暦表８が印刷してあり、前記万年暦表８の下には一つの溝８１が設けてあり、これにより、摺動板９の上下端に設けた係り板９１が前記溝８１に係って摺動することによって期日を調査することができる。
【考案の開示】
【考案が解決しようとする課題】
【０００３】
しかしながら、上記のような構造により、使用者は期日を便利に調査することができるが、名刺ケースを身の回りに携帯する営業マンにとっては、前記名刺台座７の体積が大きすぎ、携帯が極めて不便であるので、営業マンは名刺ケースと共にカレンダーを携帯することが必要になり、そうしないと、客との期日の打ち合わせができなかった。
【０００４】
従って本考案の主な目的は、期日の調査が便利になり、携帯が便利になる名刺ケースの構造を提供することにある。
【課題を解決するための手段】
【０００５】
上記目的を達成するためになされた本考案は、名刺を収容するためのケース体と、ケース体に枢着される蓋体とを備える名刺ケースの構造であって、前記ケース体の底面には、一つの万年暦表が印刷され、フレーム板を摺動するための二つの摺動用溝が平行に設けられ、前記フレーム板は二つの縦方向板と、二つの横方向板とから構成され、前記横方向板には摺動機構が設けられ、前記摺動機構には二つの側板と一つの連接段とから構成され前記摺動用溝で摺動可能な溝が設けられ、前記溝の他面にはフレーム板が移動した場合に万年暦表にある文字の磨耗を防止するための段差段が設けられていることを特徴とする、名刺ケースの構造であることを要旨としている。
【０００６】
また本考案は、前記ケース体の万年暦表が、平行する二つの摺動用溝の間に印刷されていることを特徴とする請求項１に記載の名刺ケースの構造であることを要旨としている。
さらに本考案は、前記フレーム板の中央に、年月日を表示するための窓区が一つ形成されていることを特徴とする請求項１に記載の名刺ケースの構造であることを要旨としている。
【考案の効果】
【０００７】
本考案に係る名刺ケースの構造によれば、期日の調査が便利になり、携帯が便利になる。
【考案を実施するための最良の形態】
【０００８】
以下、図面を参照して本考案の好適な実施の形態を詳細に説明する。
まず、図１から図６を参照する。本考案の一実施形態に係る名刺ケースの構造は、名刺１を収容するためのケース体２と、ケース体２に枢着される蓋体３とを含む。前記ケース体２の底面２１には、一つの万年暦表２２が印刷してあり、フレーム板４を摺動するための二つの摺動用溝２３が平行に設けてあり、前記万年暦表２２は二つの摺動用溝２３の上方と下方とに年間区２２１と月間区２２２とがそれぞれ印刷され、且つ二つの摺動用溝２３の間にカレンダー区が印刷されている。前記フレーム板４は、二つの縦方向板４１と、二つの横方向板４２とから構成され、その中央には年月日を表示するための窓区４３が一つ形成してあり、前記横方向板４２には二つの摺動用溝２３に対応する摺動機構５が設けてあり、前記摺動機構５には二つの側板５１１と一つの連接段５１２とから構成され前記摺動用溝２３で摺動できる溝５１が設けてあり、なお、前記溝５１の他面にはフレーム板４が移動しても万年暦表２２にある文字を磨耗しないための段差段５１３が設けてある。
【０００９】
使用するときには、ケース体２の内部に名刺１を収容でき、全体の体積が薄くて軽いので、携帯が極めて便利である。なお、前記ケース体２の底面２１にある平行する二つの摺動用溝２３が前記フレーム板４と結合し、前記フレーム板４にある摺動機構５の溝５１が各摺動用溝２３を挟み、且つ前記溝５１の内部空間で摺動用溝２３がちょうど摺動できフレーム板４が摺動しても脱落せず、前記摺動機構５の内側面に設けた段差段５１３は、より低い段差面が底面２１と接触し順調に摺動でき、より高い段差面と底面２１の間には隙間が保持され、これにより、フレーム板４が移動しても、ケース体２の底面２１に印刷された万年暦表２２にある文字が磨耗しない。期日を調査するときには、前記フレーム板４を調査しようとする年間区２２１と月間区２２２とに摺動させて、フレーム板４に設けた矢印を、調査しようとする月間を指すようにすることにより、フレーム板４にある窓区４３が調査しようとする月間のカレンダー区２２３を囲み、調査しようとする年月日の曜日が表示されるので、期日の調査が便利になり且つ携帯が便利になる。
【図面の簡単な説明】
【００１０】
【図１】本考案の実施形態による名刺ケースの構造の組合状態を示す斜視図である。
【図２】本考案の実施形態による名刺ケースの構造を示す分解斜視図である。
【図３】本考案の実施形態による名刺ケースの構造の組合状態を示す断面図である。
【図４】本考案の実施形態による名刺ケースの構造のフレーム板を示す側面図である。
【図５】本考案の実施形態による名刺ケースの構造の使用状態を示す正面図である。
【図６】本考案のの実施形態による名刺ケースの構造の使用状態を示す正面図である。
【図７】従来の名刺ケースの構造を示す斜視概略図である。
【図８】従来の名刺ケースの構造を示す側面図である。
【符号の説明】
【００１１】
１  名刺、２  ケース体、３  蓋体、４  フレーム板、５  摺動機構、２１  底面、２２  万年暦表、２３  摺動用溝、４１  縦方向板、４２  横方向板、４３  窓区、５１  溝、２２１  年間区、２２２  月間区、２２３  カレンダー区、５１１  側板、５１２  連接段、５１３  段差段
【図１】
0003109431.tif 000003
【図２】
0003109431.tif 000004
【図３】
0003109431.tif 000005
【図４】
0003109431.tif 000006
【図５】
0003109431.tif 000007
【図６】
0003109431.tif 000008
【図７】
0003109431.tif 000009
【図８】
0003109431.tif 000010